(57)【要約】【課題】屋外でより容易に設置できる太陽電池パネルと、この太陽電池パネルを道路や線路に沿って設けられた壁高欄等へ取り付ける設置構造を提供する。【解決手段】上枠、下枠、右枠、左枠の枠材を備え、前記各枠材に、後面と、この後面から垂直に延設させる側面と、この側面から延設させて前記後面に至る外面を形成させ、前記後面に第一の凹溝を形成すると共に、前記側面に第二の凹溝を形成させ、前記各枠材の各第二の凹溝に連結ボルトをそれぞれ取り付けると共に、前記各枠材の少なくともいずれか一つの第一の凹溝に設置ボルトを取り付け、前記各連結ボルトに取り付けた連結金具を介して前記各枠材を相互に連結させて枠体を形成させて太陽電池を取り付けると共に、前記設置ボルトを介して前記枠体を設置可能に設ける。設置場所に応じて選択した枠材の第一の凹溝へ設置ボルトを収納させてその位置を調整し、前記枠体を容易に設置させることができる。【選択図】        図５
2015046460.tif 000002
【特許請求の範囲】
【請求項１】
上枠、及び下枠、及び右枠、及び左枠の４本の枠材を備え、
前記各枠材は同一の断面形状の筒体にそれぞれ形成されており、
前記各枠材には、平面状の後面と、該後面から垂直に延設される平面状の側面と、該側面から延設されて前記後面に至る外面が形成され、
前記後面には前記枠材の長手方向に沿う第一の凹溝が全長に亘って形成されると共に、前記側面には前記枠材の長手方向に沿う第二の凹溝が全長に亘って形成され、
前記第一の凹溝及び第二の凹溝は奥側より開口部分の溝幅が幅狭となされた蟻溝状に形成されており、
前記上枠、及び下枠、及び右枠、及び左枠の各第二の凹溝には、該第二の凹溝の内側にボルト頭部を収納させ雄ねじ部分を開口部分から外側へ突出させた連結ボルトがそれぞれ取り付けられると共に、前記上枠、又は下枠、又は右枠、又は左枠の少なくともいずれか一つの第一の凹溝には、該第一の凹溝の内側にボルト頭部を収納させ雄ねじ部分を開口部分から外側へ突出させた設置ボルトが取り付けられており、
前記各連結ボルトに取り付けた連結金具を介して前記上枠、及び下枠、及び右枠、及び左枠が相互に連結されて四角形の枠体が形成されており、
該枠体には前面側に受光面を向けた太陽電池が取り付けられると共に、
前記枠体から後方へ雄ねじ部分を突出させる前記設置ボルトを介して前記枠体が設置可能となされていることを特徴とする太陽電池パネル。
【請求項２】
前記左枠及び右枠は、各々の上端を前記上枠の側面に当接させ前記連結金具を介して前記上枠に連結されると共に、各々の下端を前記下枠の側面に当接させ前記連結金具を介して前記下枠に連結されて前記枠体が形成されており、
前記枠体には、前記太陽電池が取り付けられた前面板が前記上枠と前記下枠とに架け渡されて取り付けられ、該前面板は上部を前記上枠の外面に固定され、下部を前記下枠の外面に固定され、前記右枠及び左枠には固定されていないことを特徴とする請求項１に記載の太陽電池パネル。
【請求項３】
請求項１又は２に記載の太陽電池パネルを用いる太陽電池パネルの設置構造であって、
周囲より高位置に形成された基礎部の上面にベースプレートを間隔をあけて複数設置させ、
該各ベースプレートの上面には上方へ突出する取付部をそれぞれ形成させており、
前記太陽電池パネルの左枠及び右枠の第一凹溝にそれぞれ設置ボルトを少なくとも１個以上取り付けると共に、前記上枠の第一の凹溝に設置ボルトを２個取り付け、
前記左枠に取り付けた前記設置ボルト及び該設置ボルトの真上に配置させて前記上枠に取り付けた設置ボルトとを前記一方のベースプレートの取付部へ螺結させると共に、前記右枠に取り付けた前記設置ボルト及び該設置ボルトの真上に配置させて前記上枠に取り付けた設置ボルトとを前記他方のベースプレートの取付部へ螺結させて、前記枠体を前記基礎部の端の外側に配置させて設置させていることを特徴とする太陽電池パネルの設置構造。
【請求項４】
前記基礎部は、道路又は線路などの側部に沿って設置された壁高欄からなることを特徴とする請求項３に記載の太陽電池パネルの設置構造。
【発明の詳細な説明】
【技術分野】
【０００１】
本発明は、屋外で容易に設置できる太陽電池パネルと、この太陽電池パネルを設置させる設置構造に関するものである。
【背景技術】
【０００２】
主として屋外に設置させる太陽電池パネルについては、様々な場所へ容易に取り付け可能であることが好ましく、設置を容易とするための種々の発明が開示されている。
【０００３】
例えば、特許文献１には、ソーラーパネル取付用枠であって、前記枠が、少なくとも１つの管状部材であって、当該管状部材は、長さ、及び前記長さに対して交差する全体として三角形の横断面を有し、前記管状部材は、差渡し要素に対して全体として直角を成して接続する立ち上り要素、及び前記立ち上り要素と前記差渡し要素から延在し少なくとも部分的に弓形である桁構え要素を備える、管状部材と、前記ソーラーパネルの少なくとも一部分を受けるために、前記管状部材に組み合わされるフランジと、を備えるソーラーパネル取付用枠が開示されている。そしてここには、前記ソーラーパネル取付用枠が、前記差渡し要素内に形成される接続通路をさらに備え、前記枠を構造体に取り付けるためのアンカーの一部分を受けるために、前記接続通路は、前記管状部材の前記長さの少なくとも一部に沿う構成が記載されている。
【先行技術文献】
【特許文献】
【０００４】
【特許文献１】特表２０１０−５３２０８８号公報
【発明の概要】
【発明が解決しようとする課題】
【０００５】
特許文献１に示されるソーラーパネル取付用枠は、差し渡し要素内に形成させた接続通路内で構造体に取り付けるためのアンカーを摺動または移動可能として備付け及び現場の架設における柔軟性及び／又は順応性を可能にできるようになされているが、前記接続通路に沿う方向以外の方向へのアンカーの移動が困難であるという問題点があった。
【０００６】
本発明は、屋外でより容易に設置できる太陽電池パネルと、この太陽電池パネルを道路や線路に沿って設けられた壁高欄等へ取り付ける設置構造に関するものである。
【課題を解決するための手段】
【０００７】
上記目的を達成するため、本発明は以下のような構成としている。
すなわち本発明に係る太陽電池パネルは、上枠、及び下枠、及び右枠、及び左枠の４本の枠材を備え、
前記各枠材は同一の断面形状の筒体にそれぞれ形成されており、
前記各枠材には、平面状の後面と、該後面から垂直に延設される平面状の側面と、該側面から延設されて前記後面に至る外面が形成され、
前記後面には前記枠材の長手方向に沿う第一の凹溝が全長に亘って形成されると共に、前記側面には前記枠材の長手方向に沿う第二の凹溝が全長に亘って形成され、
前記第一の凹溝及び第二の凹溝は奥側より開口部分の溝幅が幅狭となされた蟻溝状に形成されており、
前記上枠、及び下枠、及び右枠、及び左枠の各第二の凹溝には、該第二の凹溝の内側にボルト頭部を収納させ雄ねじ部分を開口部分から外側へ突出させた連結ボルトがそれぞれ取り付けられると共に、前記上枠、又は下枠、又は右枠、又は左枠の少なくともいずれか一つの第一の凹溝には、該第一の凹溝の内側にボルト頭部を収納させ雄ねじ部分を開口部分から外側へ突出させた設置ボルトが取り付けられており、
前記各連結ボルトに取り付けた連結金具を介して前記上枠、及び下枠、及び右枠、及び左枠が相互に連結されて四角形の枠体が形成されており、
該枠体には前面側に受光面を向けた太陽電池が取り付けられると共に、
前記枠体から後方へ雄ねじ部分を突出させる前記設置ボルトを介して前記枠体が設置可能となされていることを特徴とするものである。
【０００８】
本発明に係る太陽電池パネルによれば、上枠、及び下枠、及び右枠、及び左枠の４本の枠材を備えさせ、前記各枠材を同一の断面形状の筒体にそれぞれ形成させており、前記前記上枠、及び下枠、及び右枠、及び左枠を相互に連結させて四角形の枠体を形成させて、この枠体に前面側へ受光面を向けた太陽電池を取り付けるので、断面形状がそれぞれ異なる枠材を組み合わせて四角形の枠体を形成させる場合と比較して、枠材の製造や管理の負担が軽減される。
また、前記各枠材に、平面状の後面と、この後面から垂直に延設させる平面状の側面と、この側面から延設させて前記後面に至る外面を形成させ、前記側面に前記枠材の長手方向に沿う第二の凹溝を全長に亘って形成させ、前記第二の凹溝を奥側より開口部分の溝幅を幅狭とした蟻溝状に形成させて、前記上枠、及び下枠、及び右枠、及び左枠の各第二の凹溝の内側にボルト頭部を収納させ雄ねじ部分を開口部分から外側へ突出させた連結ボルトをそれぞれ取り付け、前記各連結ボルトに取り付けた連結金具を介して前記上枠、及び下枠、及び右枠、及び左枠を相互に連結させて四角形の前記枠体を形成させるので、前記枠体を様々な大きさの四角形形状に容易に形成することができ、取り付ける太陽電池の大きさや、設置場所の条件に対応する枠体を容易に形成することができる。
また、前記各枠材の後面にこの枠材の長手方向に沿う第一の凹溝を全長に亘って形成させ、前記第一の凹溝を奥側より開口部分の溝幅を幅狭とした蟻溝状に形成させて、前記上枠、又は下枠、又は右枠、又は左枠の少なくともいずれか一つの第一の凹溝の内側にボルト頭部を収納させて雄ねじ部分を開口部分から外側へ突出させた設置ボルトを取り付けており、この前記設置ボルトを介して前記枠体を設置可能としているので、設置場所に応じて選択した枠材の第一の凹溝へ設置ボルトを収納させてその位置を調整し、前記枠体を容易に設置させることができる。
【０００９】
また、前記左枠及び右枠の各々の上端を前記上枠の側面に当接させ前記連結金具を介して前記上枠に連結させると共に、各々の下端を前記下枠の側面に当接させ前記連結金具を介して前記下枠に連結させて前記枠体を形成させれば、前記連結金具を取り付けている各連結ボルトの締結を緩め、前記左枠や右枠の位置を横方向へ移動させることができる。これにより、前記左枠や右枠へ取り付けた前記設置ボルトを、前記第一の凹溝に沿って摺動させて上下方向へ位置調整できると共に、左枠や右枠を移動させて横方向への位置調整が可能となされ、前記設置ボルトをより自由に配置させることができるので、好ましい。
また、前記枠体に、前記太陽電池を取り付けた前面板を前記上枠と前記下枠とに架け渡して取り付け、この前面板の上部を前記上枠の外面に固定させ、下部を前記下枠の外面に固定させて、前記右枠及び左枠には前記前面板を固定させなければ、前記各連結ボルトの締結を緩めて行う前記左枠や右枠の横方向への移動が前記前面板に阻害されないので、前記左枠や右枠の位置調整をより容易に行うことができ、好ましい。
【００１０】
また、請求項１又は２に記載の太陽電池パネルを用いる太陽電池パネルの設置構造であって、
周囲より高位置に形成された基礎部の上面の端にベースプレートを間隔をあけて複数設置させ、
該各ベースプレートの上面には上方へ突出する取付部をそれぞれ形成させており、
前記太陽電池パネルの左枠及び右枠の第一凹溝にそれぞれ設置ボルトを少なくとも１個以上取り付けると共に、前記上枠の第一の凹溝に設置ボルトを２個取り付け、
前記左枠に取り付けた前記設置ボルト及び該設置ボルトの真上に配置させて前記上枠に取り付けた設置ボルトとを前記一方のベースプレートの取付部へ螺結させると共に、前記右枠に取り付けた前記設置ボルト及び該設置ボルトの真上に配置させて前記上枠に取り付けた設置ボルトとを前記他方のベースプレートの取付部へ螺結させて、前記枠体を前記基礎部の端の外側に配置させて設置させていることを特徴とするものである。
【００１１】
本発明に係る太陽電池パネルの設置構造によれば、周囲より高位置に形成させた基礎部の上面にベースプレートを間隔をあけて複数設置させ、この各ベースプレートの上面に上方へ突出する取付部をそれぞれ形成させ、
前記太陽電池パネルの左枠及び右枠の第一凹溝にそれぞれ設置ボルトを少なくとも１個以上取り付けると共に、前記上枠の第一の凹溝に設置ボルトを２個取り付け、
前記左枠に取り付けた前記設置ボルト及びこの設置ボルトの真上に配置させて前記上枠に取り付けた前記設置ボルトとを前記一方のベースプレートの取付部へ螺結させると共に、前記右枠に取り付けた前記設置ボルト及びこの設置ボルトの真上に配置させて前記上枠に取り付けた前記設置ボルトとを前記他方のベースプレートの取付部へ螺結させて、前記枠体を前記基礎部の端の外側に配置させて設置させるので、前記基礎部の上部に防音壁等の構造物を設置させるような場合でも、前記太陽電池パネルを容易に設置させることができる。
【００１２】
また、前記基礎部を道路又は線路などの側部に沿って設置させた壁高欄で設ければ、前記太陽電池パネルをより安定的に設置させることができるので、好ましい。
【発明の効果】
【００１３】
本発明に係る太陽電池パネル及び太陽電池パネルの設置構造によれば、太陽電池パネルを屋外に容易に設置できる。
【図面の簡単な説明】
【００１４】
【図１】本発明に係る太陽電池パネルの実施の一形態を示す、（イ）は平面図であり、（ロ）は正面図である。
【図２】図１の左側面図である。
【図３】図１の背面図である。
【図４】図３の拡大図である。
【図５】図３の縦断面を示すＡ−Ａ断面図である。
【図６】図５の拡大図である。
【図７】図３の横断面を示すＢ−Ｂ断面図である。
【図８】枠材の断面図である。
【図９】図３の連結金具を示す、（イ）は平面図であり、（ロ）正面図であり、（ハ）は側面図である。
【図１０】本発明に係る太陽電池パネルの設置構造の実施の一形態を示す正面図である。
【図１１】図１０のＡ−Ａ断面図である。
【図１２】図１０のＢ−Ｂ断面図である。
【発明を実施するための形態】
【００１５】
本発明の実施の形態を図に基づき具体的に説明する。
最初に図１〜３に基づき、本発明に係る太陽電池パネルの実施の一形態について説明する。
図面において、１は太陽電池パネルである。
本実施形態の太陽電池パネル１は、長尺形状の枠材２から形成される四角形の枠体Ｆを備え、この枠体Ｆの前面側には、前面板３とカバー板５とが取り付けられている。
前記前面板３の前面には、受光面を前方へ向けて配置された太陽電池３１が取り付けられている。
また、前記前面板３は、前記枠体Ｆよりも左右の大きさが小さく形成されて前記枠体Ｆの中央に取り付けられており、前記前面板３の左右にはカバー板５がそれぞれ１枚づつ配置されて前記枠体Ｆの前面側に取り付けられている。
【００１６】
枠体Ｆを構成する前記枠材２は、図１（ロ）の正面図において、長手方向を左右へ向けた横向きの上枠２ａ、下枠２ｂと、長手方向を上下へ向けた縦向きの左枠２ｃ、右枠２ｄ、中枠２ｅをそれぞれ１本づつ備えており、前記各枠材２はそれぞれ同一の断面形状に形成させている。
前記枠体Ｆには、アイナットＩが前記上枠２ａに２個取り付けられている。
また、前記枠体Ｆには設置ボルトＢ２が４個取り付けられており、この設置ボルトＢ２は前記左枠２ｃに１個、前記右枠２ｄに１個、前記上枠２ａに２個取り付けられている。
【００１７】
図８は枠材２の断面図である。
本実施形態の各枠材２は、五角形の中空筒形状に形成させており、アルミニウム合金の押出成形によって形成させている。
具体的には、前記各枠材２は、平面状に形成させた後面２１と、後面２１の一方の端から垂直前方へ延設させた側面２２と、側面２２の端から延設させて前記後面２１の他方の端に接続する外面２３とを備えている。また、前記外面２３は、前記側面２２から垂直に延設させる平面状の前面２７と、この前面２７の端から斜め後方へ延設させる平面状の傾斜面２８と、この傾斜面２８の端から後方へ延設させる平面状の横面２９とを備え、前記横面２９が前記後面２１へ垂直に接続している。
【００１８】
各枠材２の後面２１には、内側へ窪む第一の凹溝２５を長手方向に沿って全長に亘り形成させている。
前記第一の凹溝２５は、その両側の開口縁を溝の内側へそれぞれ突出させ、開口部分の溝幅を奥側より幅狭とした蟻溝状に形成させている。
【００１９】
また、各枠材２の側面２２には、内側へ窪む第二の凹溝２６を長手方向に沿って全長に亘り形成させている。
前記第二の凹溝２６は、その両側の開口縁を溝の内側へそれぞれ突出させ、開口部分の溝幅を奥側より幅狭とした蟻溝状に形成させている。
前記第一の凹溝２５と前記第二の凹溝２６は、それぞれ同一の断面形状に形成させている。
尚、以降の説明における各枠材２の部位の符号について、上枠２ａ、下枠２ｂ、左枠２ｃ、右枠２ｄ、中枠２ｅの部位の符号の最後には、それぞれａ、ｂ、ｃ、ｄ、ｅを付けて表記する。例えば、上枠２ａの第一の凹溝を「第一の凹溝２５ａ」と表記し、中枠２ｅの後面を「後面２１ｅ」と表記する。
【００２０】
図３に戻り、本実施形態の太陽電池パネル１の枠体Ｆの構成を説明すると、枠体Ｆを形成する各枠材２ａ〜２ｅは、各々の後面２１ａ〜２１ｅをそれぞれ後方へ向けて配置させ、中枠２ｅを除く上枠２ａ、下枠２ｂ、左枠２ｃ、右枠２ｄの各側面２２ａ〜２２ｄを枠体Ｆの内側方向へ向けてそれぞれ配置させている。
また、縦向きに配置された前記左枠２ｃ、右枠２ｄ、中枠２ｅは、各々の上端を前記上枠２ａの側面２２ａに当接させると共に、各々の下端を前記下枠２ｂの側面２２ｂに当接させて、連結金具４を介して上枠２ａ及び下枠２ｂへそれぞれ連結させている。
尚、本実施形態の枠体Ｆは、前記左枠２ｃを前記上枠２ａ及び下枠２ｂの各左端より若干右側へ配置させると共に、前記右枠２ｄを前記前記上枠２ａ及び下枠２ｂの各右端より若干左側へ配置させ、前記中枠２ｅを前記左枠２ｃと右枠２ｄの間に配置させている。
【００２１】
図９は図３の連結金具４を示す、（イ）は平面図であり、（ロ）正面図であり、（ハ）は側面図である。
本実施形態の連結金具４は、矩形平板状の板部４１を２個垂直に配置させたＬ字形状に形成させており、各板部４１には円形の貫通孔４２をそれぞれ１個づつ形成させている。
前記各貫通孔４２は、後述する連結ボルトＢ１の雄ねじ部分を挿通可能な大きさに形成させている。
【００２２】
図４は図３の拡大図であり、図７は図３の横断面を示すＢ−Ｂ断面図である。
図４は、下枠２ｂと中枠２ｅとの連結部分付近を拡大した図である。
図４において、中枠２ｅの第二の凹溝２６ｅと、下枠２ｂの第二の凹溝２６ｂには、それぞれ連結ボルトＢ１を取り付けている。具体的には、前記各連結ボルトＢ１は、そのボルト頭部をそれぞれ第二の凹溝２６ｂ、２６ｅの内側へ収納させ、雄ねじ部分を各第二の凹溝２６ｂ、２６ｅの開口部分から突出させて、それぞれ下枠２ｂ、中枠２ｅに取り付けている。
尚、各枠材２の第二の凹溝２６ａ〜２６ｅは、その開口部分の溝幅を前記各連結ボルトＢ１のボルト頭部の大きさより小さく形成させており、ボルト頭部を内側に収納させて取り付けた前記連結ボルトＢ１が、第二の凹溝２６ａ〜２６ｅに沿って摺動可能で、且つ第二の凹溝２６ａ〜２６ｅから抜けないように設けている。
【００２３】
前記下枠２ｂ及び中枠２ｅには、各々の側面２２ｂ、２２ｅへ板面４１を当接させて連結金具４を取り付けている。具体的には、前記第二の凹溝２６ｂ、２６ｅへそれぞれ取り付けた各連結ボルトＢ１の雄ねじ部分を、連結金具４の各貫通孔４２へ挿通させ、ナットＮ１へそれぞれ螺結させて、前記連結金具４を取り付けている。
前記中枠２ｅは、前記連結金具４を介して、その下端を前記下枠２ｂへ連結させている。
【００２４】
また、枠体Ｆを構成する上枠２ａと中枠２ｅとは、前記下枠２ｂと中枠２ｅと同様の方法で連結させている。
即ち、前記上枠２ａ、中枠２ｅの各第二の凹溝２６ａ、２６ｅに、内側にボルト頭部を収納させ雄ねじ部分を開口部分から突出させて連結ボルトＢ１をそれぞれ取り付けており、側面２２ａ、２２ｅへ板部４１をそれぞれ当接させて取り付けた連結金具４の各貫通孔４２へ前記各連結ボルトＢ１の雄ねじ部分を挿通させてナットＮ１を螺結させ、前記連結金具４を介して前記中枠２ｅの上端を前記上枠２ａへ連結させている。
【００２５】
また、前記枠体Ｆを構成する横向きの上枠２ａ及び下枠２ｂと、縦向きの左枠２ｃ及び右枠２ｄとは、前記上枠２ａ及び下枠２ｂと中枠２ｅと同様の方法で連結させている。
即ち、前記横向きの上枠２ａ、下枠２ｂの各第二の凹溝２６ａ、２６ｂと、前記縦向きの左枠２ｃ、右枠２ｄの各第二の凹溝２６ｃ、２６ｄとへ、その内側にボルト頭部を収納させ雄ねじ部分を開口部分から突出させて連結ボルトＢ１をそれぞれ取り付けており、側面２２ａ又は側面２２ｂと、側面２２ｃ又は側面２２ｄとへ板部４１をそれぞれ当接させて取り付けた連結金具４の貫通孔４２へ前記各連結ボルトＢ１の雄ねじ部分を挿通させてナットＮ１を螺結させ、前記連結金具４を介して前記左枠２ｃ、右枠２ｄを前記上枠２ａ、下枠２ｂへ連結させている。
【００２６】
図５は図３の縦断面を示すＡ−Ａ断面図であり、図６は図５の拡大図である。図６は上枠２ａ付近を拡大した図である。図５、６では、図の簡略化のために、設置ボルトＢ２の図示を省略している。
本実施形態の太陽電池パネル１は、上枠２ａにアイナットＩを２個取り付けている。
具体的には、前記上枠２ａの後面２１ａに形成された第一の凹溝２５ａに、ボルトＢ３を２個取り付け、前記各アイナットＩを前記各ボルトＢ３に螺結させて取り付けている。
前記各ボルトＢ３は、そのボルト頭部をそれぞれ第一の凹溝２５ａの内側へ収納させ、雄ねじ部分を開口部分から突出させて上枠２ａに取り付けている。前記上枠２ａの第一の凹溝２５ａはその開口部分の溝幅を前記各ボルトＢ３のボルト頭部の大きさより小さく形成させており、ボルト頭部を内側に収納させて取り付けた前記ボルトＢ３が第一の凹溝２５ａに沿って摺動可能で、かつ第一の凹溝２５ａから抜けないように設けている。
【００２７】
尚、開口部分の溝幅を奥側より幅狭に形成させた各枠材２の前記第一の凹溝２５ａ〜２５ｅは、設置ボルトＢ２のボルト頭部をその内側に収納させ、雄ねじ部分をその開口部分から突出させて、第一の凹溝２５ａ〜２５ｅに沿って摺動可能で、且つ第一の凹溝２５ａ〜２５ｅから抜けないように取り付けることができる。
図１〜２に示す設置ボルトＢ２は、そのボルト頭部を前記上枠２ａ、左枠２ｃ、右枠２ｄの各第一の凹溝２５ａ、２５ｃ、２５ｄの内側に収納させ、雄ねじ部分をその開口部分から突出させて、取り付けている。
【００２８】
各枠材２で形成する前記枠体Ｆの前面側には、前面板３を取り付けている。
四角形の板状に形成させた前記前面板３には、後ろ斜め上方向へ延設する上傾斜板部３３を上端に形成させ、後ろ斜め下方向へ延設する下傾斜板部３４を下端に形成させている。前記上傾斜板部３３及び下傾斜板部３４は、前記前面板３を曲げ加工して一体的に形成させている。
【００２９】
前記前面板３は、その後面を前記枠体Ｆを構成する枠材２の外面２３に当接させて取り付けている。
具体的には、前記前面板３は、その後面を上枠２ａ、下枠２ｂの各前面２７ａ、２７ｂへ当接させると共に、前記上傾斜板部３３の後面を前記上枠２ａの傾斜面２８ａへ当接させ、前記下傾斜板部３４の後面を前記下枠２ｂの傾斜面２８ｂへ当接させて、枠体Ｆへ取り付けている。
前記前面板３は、前記上傾斜板部３３を貫通させたリベットＲによりその上端を前記上枠２ａへ固定させると共に、前記下傾斜板部３４を貫通させたリベットＲによりその下端を前記下枠２ｂへ固定させている。
【００３０】
本実施形態の前面板３の前面には、透光性を有するラミネート層３２を全体に亘って形成させている。
前記太陽電池３１は、前記前面板３の前面と、前記ラミネート層３２との間に配置させて、前記前面板３に取り付けている。
【００３１】
図１、２に示すように、本実施形態の太陽電池パネル１は、枠体Ｆの前面側にカバー板５を取り付けている。
前記カバー板５は、前面板３の左右にそれぞれ１枚づつ配置させて取り付けている。
前記各カバー板５には、後ろ斜め上方向へ延設する上傾斜板部５３を上端に形成させ、後ろ斜め下方向へ延設する下傾斜板部５４を下端に形成させており、前記上傾斜板部５３及び下傾斜板部５４は、前記カバー板５を曲げ加工して一体的に形成させている。
【００３２】
前記前面板３の右側に配置させたカバー板５は、その左端の前面を前面板３の右端の後面へ重合させて、リベットにより固定させている。また、前記前面板３の左側に配置させたカバー板５は、その右端の前面を前面板３の左端の後面へ重合させて、リベットにより固定させている。
このとき、前記各カバー板５の各上傾斜板部５３の前面が前面板３の上傾斜板部３３の後面に重合すると共に、前記各カバー板５の各下傾斜板部５４の前面が前面板３の下傾斜板部３４の後面に重合するように、各カバー板５を形成させている。
【００３３】
前記各カバー板５は、前記前面板３と同様に、前記枠体Ｆの前面側に取り付けている。
即ち、前記各カバー板５は、その後面を上枠２ａ、下枠２ｂの各前面２７ａ、２７ｂへ当接させると共に、前記上傾斜板部５３の後面を前記上枠２ａの傾斜面２８ａへ当接させ、前記下傾斜板部５４の後面を前記下枠２ｂの傾斜面２８ｂへ当接させて、枠体Ｆへ取り付けている。
前記各カバー板５は、前記上傾斜板部５３を貫通させたリベットによりその上端を前記上枠２ａへ固定させると共に、前記下傾斜板部５４を貫通させたリベットによりその下端を前記下枠２ｂへ固定させている。
【００３４】
本実施形態の太陽電池パネル１は、前記前面板３及び各カバー板５を、枠体Ｆを構成する横向きの上枠２ａ及び下枠２ｂへリベットで固定しており、縦向きの左枠２ｃや、右枠２ｄや、中枠２ｅには固定していない。
このため、縦向きの左枠２ｃ、右枠２ｄ、中枠２ｅを横向きの上枠２ａ、下枠２ｂへ連結させている連結金具４を取り付ける連結ボルトＢ１とナットＮ１との締結を緩めることで、前記左枠２ｃや、右枠２ｄや、中枠２ｅを左右へ移動させることができる。そして、前記左枠２ｃ、右枠２ｄ、中枠２ｅの左右の取り付け位置を調整して連結ボルトＢ１とナットＮ１とを螺結させれば、上枠２ａ、下枠２ｂへ再度連結される。
このように前記左枠２ｃ、右枠２ｄの左右の取り付け位置を調整可能とすることで、前記左枠２ｃ、右枠２ｄにそれぞれ取り付けた設置ボルトＢ２は、前記左枠２ｃ、右枠２ｄの第一の凹溝２５ｃ、２５ｄに沿って摺動させて上下方向に取り付け位置を調整可能であると共に、左右方向へも位置調整が可能となされるので、設置ボルトＢ２を介しての太陽電池パネル１の設置がより容易なものとなされる。
【００３５】
図１０は本発明に係る太陽電池パネル１の設置構造の実施の一形態を示す正面図であり、図１１は図１０のＡ−Ａ断面図であり、図１２は図１０のＢ−Ｂ断面図である。
図１０〜１２に示す太陽電池パネル１の設置構造は、道路や線路などの側部に沿って形成させた壁高欄に図１〜９に示す実施形態の太陽電池パネル１を設置させた状況を表している。
【００３６】
本実施形態の太陽電池パネル１の設置構造では、基礎部ｋ１は、上面ｋ２を平坦に形成させた壁高欄Ｋからなるものである。
前記壁高欄Ｋは、道路や線路と、その外側とを隔てる壁体に形成させており、基礎部ｋ１の上面ｋ２は道路や線路などの周囲より高位置に設けている。
図１０、１１において、前記壁高欄Ｋは図中左右方向へ長手方向を向けて形成させている。
【００３７】
前記基礎部ｋ１の上面ｋ２にはベースプレート６を取り付けている。
ベースプレート６は四角形の平板形状に形成させており、上下に貫通する長孔形状の貫通孔６１を８個形成させている。
基礎部ｋ１には、壁高欄Ｋに埋設させて上端が基礎部ｋ１の上面ｋ２から上方へ突出するアンカーボルトＢ４を設置させており、前記ベースプレートは各貫通孔６１へ前記アンカーボルトＢ４を挿通させ、ナットＮ４を螺結させて基礎部ｋ１の上面ｋ２に取り付けている。
前記ベースプレート６は、壁高欄Ｋの長手方向に間隔をあけて、基礎部ｋ１の上面ｋ２に複数取り付けている。
【００３８】
前記各ベースプレート６には、上面から上方へ突出する支柱Ｓを形成させており、前記各支柱Ｓの間には防音パネルＰを架設させて防音壁を形成させている。
前記支柱Ｓは、１枚のウェブｓ１と、このウェブｓ１の両端に垂直に接続する２枚のフランジｓ２とを備えるＨ形の横断面形状に形成させており、具体的には、Ｈ鋼をベースプレート６へ溶接して設けている。
前記防音パネルＰは矩形板状に形成させており、前記支柱Ｓのウェブｓ１と各フランジｓ２により形成される溝部分へその端部を挿入させて、支柱Ｓに支持されている。
図１０〜１２では、前記防音パネルＰを上下に２枚段積みさせて、各支柱Ｓへ架設させている。
また、２枚段積みさせた前記防音パネルＰの下段には、部分的に太陽電池を備え、太陽電池以外の部分は透明となされた透光板を備える太陽電池付き透光板を配置し、上段には、太陽電池を備えず透明板全体が透明となされた透光板を配置して、前記支柱Ｓにそれぞれ架設させている。
前記防音パネルＰは、道路や線路を走行する車両から壁高欄Ｋの外側の風景を前記透光板を通して視認できるように設けている。
【００３９】
ベースプレート６には、上面から上方へ垂直に突出する板状の取付部６２を形成させている。
前記取付部６２は、その板面を前記壁高欄Ｋの長手方向へ沿うように形成させており、ベースプレート６の一方の端に１個形成させている。
【００４０】
前記ベースプレート６の取付部６には、横長形状の貫通孔６３を形成させており、この貫通孔６３は上下に間隔をあけて２個１組に形成させている。更に、前記貫通孔６３は左右へ間隔をあけて２組形成させており、１つの取付部６に２組４個の貫通孔６３を形成させている。
また前記ベースプレート６の取付部には、円形の貫通孔６４を形成させており、この貫通孔６４は左右に間隔をあけて２個形成させている。
【００４１】
図１〜９に示す実施形態の太陽電池パネル１は、上枠２ａと、左枠２ｃと、右枠２ｄにそれぞれ設置ボルトＢ２を取り付けている。
前記上枠２ａに取り付けた２個の設置ボルトＢ２は、前記左枠２ｃと右枠２ｄに取り付けた設置ボルトＢ２の真上にそれぞれ配置させており、前記上枠２ａの各設置ボルトＢ２と前記左枠２ｃ、右枠２ｄの設置ボルトＢ２とを、それぞれ上下に間隔をあけて２個１組に配置させるように取り付けている。
【００４２】
図１０〜１２に示す太陽電池パネル１の設置構造では、第一の凹溝２５に取り付けた設置ボルトＢ２を介してベースプレート６へ太陽電池パネル１を設置させている。
図１２に示す、太陽電池パネル１の右端においては、右枠２ｄに取り付けた設置ボルトＢ２と、その真上に配置させて上枠２ａに取り付けた設置ボルトＢ２の各々の雄ねじ部分を、ベースプレート６の取付部６２へ上下２個１組に形成させた貫通孔６３へ挿通させ、ナットＮ２を螺結させて、前記取付部６２へ取り付けている。
また、太陽電池パネル１の左端においては、左枠２ｃに取り付けた設置ボルトＢ２と、その真上に配置させて上枠２ａに取り付けた設置ボルトＢ２の各々の雄ねじ部分を、前記ベースプレート６と間隔をあけて設置させた隣のベースプレート６の取付部６２の貫通孔６３へそれぞれ挿通させ、ナットＮ２を螺結させて前記取付部６２へ取り付けている。
【００４３】
図１１、１２に示すように、太陽電池パネル１と、ベースプレート６の取付部６２との間にスペーサー７を配置させて取り付けている。
前記スペーサー７は縦長の矩形筒体であり、一方の側面を太陽電池パネル１の枠材２の後面２１に当接させ、他方の側面を前記取付部６２の板面へ当接させている。前記太陽電池パネル１に取り付けた各設置ボルトＢ２は、それぞれ前記スペーサー７を貫通させて前記取付部６２の貫通孔６３へ挿通させている。
前記スペーサー７により、設置させた前記太陽電池パネル１と前記壁高欄Ｋとの間に隙間が設けられることにより、この隙間を通る空気の流れによって前記太陽電池パネル１の温度上昇を抑制させる効果が期待できる。
【００４４】
本実施形態の太陽電池パネル１の設置構造では、太陽電池パネル１の左右の上端を前記各ベースプレート６の取付部６２へ取り付け、前記太陽電池パネル１を、壁高欄Ｋの側方へ釣り下げるように配置させて設置させている。
このように配置させることで、図１０、１２に示すように、前記太陽電池パネル１は、その大部分がベースプレート６の支柱Ｓへ取り付けた各防音パネルＰより下方に位置するように配置され、前記各防音パネルＰが備える透光板による風景の視認性が前記太陽電池パネル１により阻害されないように設置させている。
【００４５】
また、図１〜９に示す本実施形態の太陽電池パネル１は、上枠２ａに取り付けた設置ボルトＢ２を第一の凹溝２５ａに沿って摺動可能であると共に、連結金具４を取り付ける連結ボルトＢ１の締結を緩めることで、左枠２ｃや右枠２ｄの取り付け位置を左右方向へ調整可能に設けている。
このため、製造や施工時のミスなどにより、前記太陽電池パネル１の上枠２ａ、左枠２ｃ、右枠２ｄに取り付けた設置ボルトＢ２と、前記ベースプレート６の取付部６２に形成させた貫通孔６３との横方向の位置が一致しないような場合でも、上枠２ａに取り付けた設置ボルトＢ２を摺動させて位置調整させ、左枠２ｃや右枠２ｄの取り付け位置を調整して、各第一の凹溝２５ａ、２５ｃ、２５ｄへ取り付けた設置ボルトＢ２を前記取付部６２の貫通孔６３へ挿通させることができる。
【００４６】
本実施形態の太陽電池パネル１の設置構造では、太陽電池パネル１の上枠２ａに取り付けた２個のアイナットＩへそれぞれ落下防止ワイヤーＷを挿通させている。前記各落下防止ワイヤーＷは、更に前記ベースプレート６の取付部６２に形成させた貫通孔６４へ挿通させており、前記設置ボルトＢ２の脱落などの要因によって太陽電池パネル１がベースプレート６から外れてしまったような場合でも、前記太陽電池パネル１の脱落を防止させている。
【符号の説明】
【００４７】
１    太陽電池パネル
２    枠材
２ａ  上枠
２ｂ  下枠
２ｃ  左枠
２ｄ  右枠
２ｅ  中枠
２１  後面
２２  側面
２３  外面
２５  第一の凹溝
２６  第二の凹溝
２７  前面
２８  傾斜面
２９  横面
３    前面板
３１  太陽電池
３２  ラミネート層
３３  上傾斜板部
３４  下傾斜板部
４    連結金具
４１  板部
４２  貫通孔
５    カバー板
５３  上傾斜板部
５４  下傾斜板部
６    ベースプレート
６１  貫通孔
６２  取付部
６３  貫通孔
６４  貫通孔
７    スペーサー
Ｂ１  連結ボルト
Ｂ２  設置ボルト
Ｂ４  アンカーボルト
Ｆ    枠体
Ｉ    アイナット
Ｋ    壁高欄
ｋ１  基礎部
Ｐ    防音パネル
Ｓ    支柱
Ｗ    落下防止ワイヤー
【図１】
2015046460.tif 000003
【図２】
2015046460.tif 000004
【図３】
2015046460.tif 000005
【図４】
2015046460.tif 000006
【図５】
2015046460.tif 000007
【図６】
2015046460.tif 000008
【図７】
2015046460.tif 000009
【図８】
2015046460.tif 000010
【図９】
2015046460.tif 000011
【図１０】
2015046460.tif 000012
【図１１】
2015046460.tif 000013
【図１２】
2015046460.tif 000014